(57)【要約】  本発明の表示ユニット（１）は、画像を表示する第１液晶表示素子（２０）と、第１液晶表示素子（２０）の背後に設けられた役物（６２）と、第１液晶表示素子（２０）と役物（６２）との間に設けられた、役物（６２）を遮蔽するための第２液晶表示素子（３０）とが備えられた液晶表示ユニット（１）であって、第２液晶表示素子（３０）の背後に、役物（６２）を遮蔽するための機械的な遮蔽装置である役物遮蔽部（６４）が設けられている。
2009013916.tif 000002
【特許請求の範囲】
【請求項１】
画像を表示する第１液晶表示素子と、
第１液晶表示素子の背後に設けられた役物と、
前記第１液晶表示素子と前記役物との間に設けられた、前記役物を遮蔽するための第２液晶表示素子とが備えられた液晶表示ユニットであって、
前記第２液晶表示素子の背後に、前記役物を遮蔽するための機械的な遮蔽装置が設けられていることを特徴とする液晶表示ユニット。
【請求項２】
前記機械的な遮蔽装置が、回動可能なドラム装置であり、
前記回転ドラム装置の回転面には、光を透過する透過部と、光を透過しない非透過部とが設けられており、
前記役物は、前記ドラム装置の内部に設置されており、
前記ドラム装置が回動することで、前記第１液晶表示素子と前記役物との間に前記透過部又は非透過部が配置されることによって、前記役物の非遮蔽又は遮蔽が切り替えられることを特徴とする請求項１に記載の液晶表示ユニット。
【請求項３】
前記第２液晶表示素子と前記ドラム装置との間には、前記ドラム装置の回動軸と同一方向の少なくとも一対の直管状の光源ランプが設けられており、
前記回転面の非透過部が、反射部材によって形成されていることを特徴とする請求項２に記載の液晶表示ユニット。
【請求項４】
前記非透過部が白色ポリエチレンテレフタレートフィルムで形成されており、
前記透過部が透明ポリエチレンテレフタレートフィルムで形成されていることを特徴とする請求項３に記載の液晶表示ユニット。
【請求項５】
前記機械的な遮蔽装置が、スライド式のシャッター装置であり、前記シャッター装置のシャッターが開閉することによって、前記役物の非遮蔽及び遮蔽が切り替えられることを特徴とする請求項１に記載の液晶表示ユニット。
【請求項６】
前記機械的な遮蔽装置が、巻き上げ式のシャッター装置であり、前記シャッター装置のシャッターが開閉することによって、前記役物の非遮蔽及び遮蔽が切り替えられることを特徴とする請求項１に記載の液晶表示ユニット。
【請求項７】
前記第２液晶表示素子が、高分子分散型液晶表示素子であることを特徴とする請求項１に記載の液晶表示ユニット。
【請求項８】
請求項１から７のいずれか１項に記載の液晶表示ユニットが備えられた遊技装置。
【請求項９】
画像を表示する第１液晶表示素子と、
第１液晶表示素子の背後に設けられた役物と、
前記第１液晶表示素子と前記役物との間に設けられた、前記役物を遮蔽するための第２液晶表示素子とが備えられた液晶表示ユニットにおいて、
前記第１液晶表示素子の観者に対して、
前記役物が遮蔽され、第１液晶表示装置に表示された画像のみを示す表示と、
前記役物が遮蔽されず、役物を見せる表示とを切り替える液晶表示ユニットの表示方法であって、
前記第２液晶表示素子の背後に、前記役物を遮蔽するための機械的な遮蔽装置が設けられており、
前記機械的な遮蔽装置によって、前記表示の切替えをおこなうことを特徴とする液晶表示ユニットの表示方法。
【請求項１０】
前記機械的な遮蔽装置が、回動可能なドラム装置であり、
前記回転ドラム装置の回転面には、光を透過する透過部と、光を透過しない非透過部とが設けられており、
前記役物は、前記ドラム装置の内部に設置されており、
前記ドラム装置を回動させ、前記観者と前記役物との間に前記非透過部を配置したときに、前記第１液晶表示装置に表示された画像のみを表示し、
他方、前記ドラム装置を回動させ、前記観者と前記役物との間に前記透過部を配置したときに、前記役物を表示することを特徴とする請求項９に記載の液晶表示ユニットの表示方法。
【請求項１１】
前記第２液晶表示素子が、高分子分散型液晶表示素子であり、
前記ドラム装置が回動している間、前記高分子分散型液晶表示素子を散乱状態にすることを特徴とする請求項１０に記載の液晶表示ユニットの表示方法。
【発明の詳細な説明】
【技術分野】
【０００１】
本発明は、液晶表示ユニット、遊技装置、及び、液晶表示ユニットの表示方法、特には役物の遮蔽・非遮蔽を切り替えることが可能な表示ユニットに関するものである。
【背景技術】
【０００２】
従来から、パチンコなどの遊技装置に、その情報表示部を構成する部品として液晶表示素子が広く使われている。【０００３】
そして、昨今の前記遊技装置では、その情報表示部に、前記液晶表示素子の液晶表示パネルに表示される情報とともに、前記液晶表示素子の背面に設置された役物などを併せて表示することが求められている。以下、遊技装置の概略構成を示す図である図１７、及び、遊技装置の情報表示部の表示を示す図である図１８の（ａ）〜（ｃ）に基づいて説明する。【０００４】
すなわち、図１７に示すように遊技装置９０の前面には、遊技の状況を見ることができるように円形の遊技盤９２が設けられている。そして、前記遊技盤９２のほぼ中心部には、主に液晶表示素子で構成された情報表示部９４が設けられている。【０００５】
この情報表示部９４には、遊技の状況に応じて種々の情報が表示される。例えば、遊技装置９０が、スロットマシンのように、遊技の状況に応じて３桁の数字が替わるものである場合には、図１８の（ａ）に示すように、前記情報表示部９４には、「５６７」のような数字が、前記液晶表示素子の液晶表示パネル上によって表示される。【０００６】
そして、前記３桁の数字が例えば図１８の（ｂ）に示すように「７７７」等の所定の数字に揃った場合には、３桁の数字のうち中心部の数字である「７」を表示する領域が透明となる。これによって、前記情報表示部９４には、図１８の（ｃ）に示すように、前記液晶表示パネルに表示された数字「７」・「７」と、前記液晶表示素子の背後にあらかじめ設置されていた役物６２（人形）とが表示される。【０００７】
（特許文献１）
以上のような表示を実現するために、種々の技術が提案されている。
例えば、特許文献１にはＬＣＤシャッターとしてポリマー分散液晶を用いる技術について記載されている。以下、図１９〜図２２に基づいて説明する。ここで、図１９は、特許文献１に記載の遊技機全体の構成を示す正面図である。図１９に示すように、特許文献１に記載の遊技機１０１には、その遊技盤１０６の中心部にセンターケース１１１が設けられており、そのセンターケース１１１のなかに画像を表示するための画像表示装置１０８が設置されている。【０００８】
詳しくは、前記センターケース１１１の構成を示す分解斜視図である図２０に示すように、前記センターケース１１１は、主に鎧部４０９と、前記画像表示装置１０８と、その背後に設置された役物５０６とによって構成されている。【０００９】
そして、前記画像表示装置１０８は、画像表示装置１０８の構成を示す説明図である図２１に示すように、第１液晶パネル５０１と、拡散板５０２と、導光板５０３と、反射板５０４と、ＬＣＤシャッター５０５等がその順に配置されることによって構成されている。また、前記導光板５０３及びＬＣＤシャッター５０５の端部近傍には、各々、画像表示用ＬＣＤ光源５１３及び役物用光源５１４が設けられている。【００１０】
特許文献１に記載の遊技機１０１では、前記画像表示装置１０８を構成するＬＣＤシャッター５０５がポリマー分散液晶によって構成されており、これによって、前記役物５０６の見える・見えないの切替えが行われている。以下、ＬＣＤシャッター５０５を構成するポリマー分散液晶の動作原理を示す説明図である図２２の（ａ）及び（ｂ）に基づいて説明する。なお、図２２の（ａ）は電圧が印加された時の液晶分子の配向状態を示し、図２２の（ｂ）は電圧が印加されていない時の液晶分子の配向状態を示す。【００１１】
図２２の（ａ）及び（ｂ）に示すように、ポリマー分散液晶では、液晶層に電圧が印加されるか否かによって、光の透過状況が異なる。すなわち、液晶層に電圧が印加されている場合には、図２２の（ａ）に示すように、光はポリマー分散液晶を透過し（ＬＣＤシャッター５０５：オン）、遊技者は、画像表示装置１０８の背後に設置された役物５０６を観ることができる。【００１２】
一方、液晶層に電圧が印加されていない場合には、図２２の（ｂ）に示すように、光はポリマー分散液晶で散乱して白濁し（ＬＣＤシャッター５０５：オフ）、遊技者は、画像表示装置１０８の背後に設置された役物５０６を観ることができない。【００１３】
以上のように、特許文献１に記載の遊技機１０１では、ポリマー分散液晶を用いることによって、画像表示装置１０８の背後に設置されていた役物５０６の可視・不可視（非遮蔽・遮蔽）の制御が可能になっている。
【特許文献１】日本国公開特許公報「特開２００５−１８５６２４号公報（公開日：２００５年７月１４日）」
【発明の開示】
【００１４】
しかしながら、前記特許文献１に記載された従来の遊技機では、画像表示装置（液晶表示素子）の背後に設置された役物の遮蔽が不十分であるという問題を有している。
【００１５】
具体的には、前記遊技機では、画像表示装置の背後に設置された役物の遮蔽を、上述のとおりポリマー分散液晶を用いておこなっていた。すなわち、先に説明したとおり、ポリマー分散液晶に電圧を印加しない状態でのポリマー分散液晶における光散乱を利用し、ポリマー分散液晶を白濁させることによって、その背後にある役物を遮蔽していた。
【００１６】
しかしながら、前記の方法では、光が散乱することによって全体が白濁し、その結果、役物の輪郭がぼやけ、役物の色彩も不鮮明になるものの、遊技者は、ぼんやりとでも役物の存在を認識することができた。
【００１７】
したがって、ポリマー分散液晶を散乱状態から透過状態にして役物が鮮明に見える状況に切り替えた際、遊技者は、散乱状態においてすでに役物の存在を認識しているので、表示の切替えによって受ける感動の度合いが低くなっていた。
【００１８】
そこで本発明は、前記の問題点に鑑みてなされたものであり、その目的は、表示装置の背後に設置された役物を十分に遮蔽することが可能な液晶表示ユニット、遊技装置、及び、液晶表示ユニットの表示方法を実現することにある。
【００１９】
本発明の液晶表示ユニットは、前記の課題を解決するために、画像を表示する第１液晶表示素子と、第１液晶表示素子の背後に設けられた役物と、前記第１液晶表示素子と前記役物との間に設けられた、前記役物を遮蔽するための第２液晶表示素子とが備えられた液晶表示ユニットであって、前記第２液晶表示素子の背後に、前記役物を遮蔽するための機械的な遮蔽装置が設けられていることを特徴としている。
【００２０】
また、本発明の液晶表示ユニットの表示方法は、前記の課題を解決するために、画像を表示する第１液晶表示素子と、第１液晶表示素子の背後に設けられた役物と、前記第１液晶表示素子と前記役物との間に設けられた、前記役物を遮蔽するための第２液晶表示素子とが備えられた液晶表示ユニットにおいて、前記第１液晶表示素子の観者に対して、前記役物が遮蔽され、第１液晶表示装置に表示された画像のみを示す表示と、前記役物が遮蔽されず、役物を見せる表示とを切り替える液晶表示ユニットの表示方法であって、前記第２液晶表示素子の背後に、前記役物を遮蔽するための機械的な遮蔽装置が設けられており、前記機械的な遮蔽装置によって、前記表示の切替えをおこなうことを特徴としている。
【００２１】
前記の構成によれば、役物を液晶表示ユニットの観者に対して遮蔽する（役物を液晶表示ユニットの観者に見せなくする）手段として、液晶表示素子とともに、機械的な遮蔽装置が設けられている。
【００２２】
ここで、機械的な遮蔽装置とは、液晶表示素子等による複屈折や光散乱等を利用して光透過率を低減させることなどによる光遮蔽手段とは異なり、光不透過性の部材を仕掛けによって動作させ、対象物からの光を遮ることによって、前記対象物（役物）を遮蔽する装置などを意味する。
【００２３】
そして、前記の液晶表示ユニットでは、液晶表示ユニットの観者と役物との間に前記機械的な遮光装置が設けられているので、液晶表示素子（第２液晶表示素子）による役物の遮蔽が不十分な場合あっても、液晶表示ユニットの観者に対して上記役物を十分に遮蔽することが可能となる。
【００２４】
すなわち、前記の構成によれば、表示装置の背後に設置された役物を十分に遮蔽することが可能な液晶表示ユニット、及び、液晶表示ユニットの表示方法を実現することができる。
【００２５】
また、前記の構成によれば、前記機械的な遮蔽装置とともに、役物を遮蔽するための液晶表示素子（第２液晶表示素子）が設けられている。
【００２６】
したがって、前記第２液晶表示素子と、前記機械的な遮蔽装置との動作を連動させた場合には、前記機械的な遮蔽装置の作動状況を前記液晶表示ユニットの観者に見えにくくすることができる。
【００２７】
前記動作の連動とは、例えば、前記機械的な遮蔽装置が作動する直前に、前記機械的な遮蔽装置よりも観者に近い位置に設けられている前記第２液晶表示素子を、役物を遮蔽できる状態にすることがあげられる。
【００２８】
これによって、観者に対して、前記機械的な遮蔽装置が作動する様子を見えにくくすることができる。
【００２９】
本発明の液晶表示ユニットは、前記機械的な遮蔽装置が、回動可能なドラム装置であり、前記回転ドラム装置の回転面には、光を透過する透過部と、光を透過しない非透過部とが設けられており、前記役物は、前記ドラム装置の内部に設置されており、前記ドラム装置が回動することで、前記第１液晶表示素子と前記役物との間に、前記透過部又は非透過部が配置されることによって、前記役物の非遮蔽又は遮蔽が切り替えられることが好ましい。
【００３０】
また、本発明の液晶表示ユニットの表示方法は、前記機械的な遮蔽装置が、回動可能なドラム装置であり、前記回転ドラム装置の回転面には、光を透過する透過部と、光を透過しない非透過部とが設けられており、前記役物は、前記ドラム装置の内部に設置されており、前記ドラム装置を回動させ、前記観者と前記役物との間に前記非透過部を配置したときに、前記第１液晶表示装置に表示された画像のみを表示し、他方、前記ドラム装置を回動させ、前記観者と前記役物との間に前記透過部を配置したときに、前記役物を表示することが好ましい。
【００３１】
前記の構成によれば、機械的な遮蔽装置が、回転ドラム装置であるため、ドラムを回動させるのみで、役物の非遮蔽及び遮蔽を容易に切り替えることができる。
【００３２】
本発明の液晶表示ユニットは、前記第２液晶表示素子と前記ドラム装置との間には、前記ドラム装置の回動軸と同一方向の少なくとも一対の直管状の光源ランプが設けられており、前記回転面の非透過部が、反射部材によって形成されていることが好ましい。
【００３３】
前記の構成によれば、非透過部が反射部材によって形成されており、また、その非透過部が回転面に設けられているので、前記非透過部は曲面を形成している。
【００３４】
そのため、前記役物を遮蔽する場合、前記非透過部は前記役物の前方に配置され、光源光や外光などの光は非透過部の前記曲面の外面側に到達する。そして、この光は、非透過部が曲面であるので、種々の方向に散乱しやすい。その結果、この散乱した光は、前記機械的な遮蔽装置の前面にある第１液晶表示素子のバックライトとして作用しうる。よって、第１液晶表示素子の画像に関し、その表示を明るくし、また、その表示面内での輝度分布の均一性を向上させることができる。
【００３５】
他方、前記役物を遮蔽しない場合（役物を液晶表示ユニットの観者に見せる場合）、前記非透過部が前記役物の後方に配置されると、前記各光は非透過部の前記曲面の内面側に到達する。そして、この光は、曲面の内面で反射するため、光が集光しやすく、その結果、前記役物が照らされやすい。したがって、観者は、明るく鮮明な役物を見ることができる。
【００３６】
そして、前記の構成によれば、前記第２液晶表示素子と前記ドラム装置との間に光源ランプが設けられている。したがって、先に説明した、役物を遮蔽する場合の、第１液晶表示素子の画像の明るさをより向上させることができる。
【００３７】
また、前記の構成によれば、前記光源ランプが前記ドラム装置の回動軸と同一方向に、一対として設けられている。その結果、前記役物を遮蔽する場合、光源ランプからの光が前記非透過部の曲面の外面側で反射することによって、より均一に表示面内に拡散しやすくなる。
【００３８】
したがって、第１液晶表示素子の画像に関し、その明るさのみならず、その表示面内での輝度分布の均一性をより向上させることができる。
【００３９】
また、本発明の液晶表示ユニットは、前記非透過部が白色ポリエチレンテレフタレートフィルムで形成されており、前記透過部が透明ポリエチレンテレフタレートフィルムで形成されていることが好ましい。
【００４０】
前記の構成によれば、非透過部が白色ポリエチレンテレフタレート（Ｐｏｌｙｅｔｈｙｌｅｎｅ  Ｔｅｒｅｐｈｔｈａｌａｔｅ（ＰＥＴ）：テレフタル酸ポリエチレン）フィルムで形成されているので、良好な散乱反射が得られる。
【００４１】
また、透過部が透明ポリエチレンテレフタレートフィルムで形成されているので、役物を鮮明に見せることができる。
【００４２】
また、非透過部及び透過部が、同一材料のフィルムから形成されているので、前記白色ポリエチレンテレフタレートフィルムと、前記透明ポリエチレンテレフタレートフィルムとを連結し、その後筒状に曲げることによって、容易に前記ドラム装置の回転面を形成することができる。
【００４３】
また、本発明の液晶表示ユニットは、前記機械的な遮蔽装置が、スライド式のシャッター装置であり、前記シャッター装置のシャッターが開閉することによって、前記役物の非遮蔽及び遮蔽が切り替えられるものとすることができる。
【００４４】
また、本発明の液晶表示ユニットは、前記機械的な遮蔽装置が、巻き上げ式のシャッター装置であり、前記シャッター装置のシャッターが開閉することによって、前記役物の非遮蔽及び遮蔽が切り替えられるものとすることができる。
【００４５】
前記の構成によれば、機械的な遮蔽装置がスライド式のシャッター装置、又は、巻き上げ式のシャッター装置であるので、汎用的で簡易な機構を用いて、所望の機械的な遮蔽装置を実現することができる。
【００４６】
また、本発明の液晶表示ユニットは、前記第２液晶表示素子が、高分子分散型液晶表示素子であることが好ましい。
【００４７】
前記の構成によれば、画像を表示する第１液晶表示素子の背後に設けられた第２液晶表示素子が、高分子分散型の液晶表示素子である。
【００４８】
したがって、第１液晶表示素子が表示する画像をより明るく表示させることができる。以下、説明する。
【００４９】
すなわち、高分子分散型液晶は、先に説明したとおり、その液晶層に電圧が印加されていない状態では、光が散乱する状態にある。
【００５０】
そして、第２液晶表示素子がこの散乱状態である場合、例えば液晶表示ユニット内に光源が設けられている場合はその光（光源光）や、液晶表示ユニット内に光源が設けられていない場合には外光（自然光や室内光など）が前記第２液晶表示素子に到達した際、その光は、散乱反射したり、又は、第２液晶表示素子自体を明るくしたりする。
【００５１】
その結果、第１液晶表示素子の背後に設けられた第２液晶表示素子が、バックライトと同様の作用をしめすので、第１液晶表示素子が表示する画像をより明るく表示させることができる。
【００５２】
また、一般的に高分子分散型液晶表示素子は、光の遮蔽効果が低く、役物の遮蔽が不十分となりやすいが、本発明の液晶表示ユニットには、先に説明した機械的な遮蔽装置が設けられているので、観者に対する役物の遮蔽を十分におこなうことができる。
【００５３】
本発明の遊技装置は、上記液晶表示ユニットが備えられていることが好ましい。
【００５４】
前記の構成によれば、遊技装置に備えられた液晶表示ユニットが表示装置の背後に設置された役物を十分に遮蔽することができるので、前記遊技装置の遊技者は、より感動的な遊技を楽しむことができる。
【００５５】
また、本発明の液晶表示ユニットの表示方法は、前記第２液晶表示素子が、高分子分散型液晶表示素子であり、前記ドラム装置が回動している間、前記高分子分散型液晶表示素子を散乱状態にすることができる。
【００５６】
前記の方法によれば、前記ドラム装置が回動している間、第２液晶表示素子が散乱状態であるので、表示ユニットの観者は、前記ドラム装置の回動を認識しにくくなる。したがって、第１液晶表示装置の表示と役物の表示との切り替えをより高品位・感動的に行うことができる。
【００５７】
本発明の液晶表示ユニットは、以上のように、第２液晶表示素子の背後に、役物を遮蔽するための機械的な遮蔽装置が設けられていることを特徴とする。
【００５８】
また、本発明の液晶表示ユニットの表示方法は、第１液晶表示素子の観者に対して、役物が遮蔽され、前記第１液晶表示装置に表示された画像のみを示す表示と、記役物が遮蔽されず、前記第１液晶表示装置に表示された画像及び前記役物を見せる表示、又は、前記役物のみを見せる表示とを切り替える液晶表示ユニットの表示方法であって、前記第２液晶表示素子の背後に、前記役物を遮蔽するための機械的な遮蔽装置が設けられており、前記機械的な遮蔽装置によって、前記表示の切替えをおこなうことを特徴とする。
【００５９】
それゆえ、表示装置の背後に設置された役物を十分に遮蔽することが可能な液晶表示ユニット、及び、液晶表示ユニットの表示方法を実現することができるという効果を奏する。
【図面の簡単な説明】
【００６０】
【図１】本発明の実施形態の液晶表示ユニットの概略構成を示す図であり、（ａ）は液晶表示ユニットを正面斜め方向から見たもの、（ｂ）は液晶表示ユニットを背面斜め方向から見たものを示す。
【図２】図１に記載の液晶表示ユニットを観者が見た際に見える表示内容を示す図である。
【図３】本発明の実施形態の液晶表示ユニットの概略構成を示す図であり、（ａ）は液晶表示ユニットを正面斜め方向から見たもの、（ｂ）は液晶表示ユニットを背面斜め方向から見たものを示す。
【図４】図３に記載の液晶表示ユニットを観者が見た際に見える表示内容を示す図である。
【図５】本発明の液晶表示ユニットにおける液晶表示部の概略構成を示す断面図である。
【図６】本発明の実施形態の液晶表示ユニットの概略構成を示し、役物非表示時の液晶表示ユニットを横方向から見た図である。
【図７】図６に記載の液晶表示ユニットを観者が見た際に見える表示内容を示す図である。
【図８】本発明の実施形態の液晶表示ユニットの概略構成を示し、役物表示時の液晶表示ユニットを横方向から見た図である。
【図９】図８に記載の液晶表示ユニットを観者が見た際に見える表示内容を示す図である。
【図１０】本発明の実施形態の液晶表示ユニットの概略構成を示す図であり、（ａ）は液晶表示ユニットを正面斜め方向から見たもの、（ｂ）は液晶表示ユニットを背面斜め方向から見たものを示す。
【図１１】図１０に記載の液晶表示ユニットを観者が見た際に見える表示内容を示す図である。
【図１２】本発明の実施形態の液晶表示ユニットの概略構成を示し、役物非表示時の液晶表示ユニットの断面図である。
【図１３】本発明の実施形態の液晶表示ユニットの概略構成を示し、役物表示時の液晶表示ユニットの断面図である。
【図１４】本発明の実施形態の液晶表示ユニットの概略構成を示すブロック図である。
【図１５】本発明の他の実施形態の液晶表示ユニットの概略構成を示す図であり、（ａ）は液晶表示ユニットを正面斜め方向から見たもの、（ｂ）は液晶表示ユニットを背面斜め方向から見たものを示す。
【図１６】本発明の他の実施形態における液晶表示部の、役物表示時の表示内容を示す図である。
【図１７】遊技装置の概略構成を示す図である。
【図１８】遊技装置の情報表示部の表示を示す図である。
【図１９】特許文献１に記載の遊技機全体の構成を示す正面図である。
【図２０】特許文献１に記載の遊技機のセンターケースの構成を示す分解斜視図である。
【図２１】特許文献１に記載の遊技機の画像表示装置の構成を示す説明図である。
【図２２】特許文献１に記載の遊技機のＬＣＤシャッターのポリマー分散液晶の動作原理を示す説明図であり、（ａ）は電圧が印加された時の液晶分子の配向状態を示し、（ｂ）は電圧が印加されていない時の液晶分子の配向状態を示す。
【符号の説明】
【００６１】
１    液晶表示ユニット
１０    液晶表示部
２０    第１液晶表示素子
３０    第２液晶表示素子
４０    第１光源部
４２    第１光源ランプ
４４    導光板
４６    反射シート
５０    第２光源部
５２    第２光源ランプ  （光源ランプ）
６０    役物部
６２    役物
６４    役物遮蔽部  （遮蔽装置、ドラム装置）
６６    表示切替え部  （ドラム装置の回転面）
６７    反射部  （非透過部）
６７ａ  内側反射部
６７ｂ  外側反射部
６８    透過部
９０    遊技装置
Ｒ１    第１表示領域
Ｒ２    第２表示領域
Ｒ３    第３表示領域
Ｖ      観者
ＬＡ    役物非表示時の第２光源ランプからの光
ＬＢ    役物表示時の第２光源ランプからの光
Ｌ１    役物非表示時及び役物表示時の第１光源ランプからの光
Ｌ２    役物非表示時の第１光源ランプからの光
Ｌ３    役物非表示時の第２光源ランプからの光
Ｌ４    役物表示時の第１光源ランプからの光
Ｌ５    役物表示時の第２光源ランプからの光
【発明を実施するための最良の形態】
【００６２】
〔実施の形態１〕
本発明の一実施の形態について図面に基づいて説明すると以下のとおりである。【００６３】
（液晶表示ユニットの構成）
まず、本実施の形態の液晶表示ユニットの概略構成について、図１の（ａ）及び（ｂ）を参照しながら説明する。図１の（ａ）及び（ｂ）は共に、本実施の形態の液晶表示ユニット１の概略構成を表す斜視図であり、図１の（ａ）は液晶表示ユニット１を正面方向から、図１の（ｂ）は液晶表示ユニット１を背面方向から見た様子を表している。【００６４】
図１の（ａ）に示すように、本実施の形態の液晶表示ユニット１は、液晶表示部１０と、役物部６０と、主制御部（図示せず）とを備えている。【００６５】
（役物部）
そして、前記役物部６０は、役物６２と役物遮蔽部６４と遮蔽制御部（図示せず）とを備え、この役物遮蔽部６４は、表示切替え部６６とリール部７０と回動軸７２とを備えている。【００６６】
ここで前記役物遮蔽部６４は、およそ円筒形に形成されており、その円筒の対向する２つの円形面が前記リール部７０に相当し、円筒の側面（回転面）が表示切替え部６６に相当する。【００６７】
そして、前記円形のリール部７０の中心には、前記円筒、すなわち役物遮蔽部６４が回動可能となるように２つのリール部７０を貫く回動軸７２が設けられている。【００６８】
（役物）
また、前記回動軸７２のほぼ中心位置には、前記役物６２が備えられている。【００６９】
ここで、役物６２とは、人やキャラクターや乗り物等の模型など、液晶表示ユニット１の観者に直接実物を見せたい造形物を指す。本実施の形態においては、役物６２として人形を用いている。【００７０】
本実施の形態の役物６２である人形は、前記回動軸７２に貫かれた形で、前記円筒形の役物遮蔽部６４のほぼ中心位置に配置されている。その大きさは、前記役物遮蔽部６４が回動しても、その回転の妨げにならない大きさ、言い換えると前記円筒内に収まる大きさである。【００７１】
また、前記役物６２としての人形は、前記回動軸７２の周りで回動可能なように、回動軸７２に設置されている。【００７２】
したがって、回動軸７２が回転することによって前記役物遮蔽部６４が回動しても、その内部に位置する役物６２としての人形は回転せず、絶えず自らの重心位置にしたがった一定の方向に向いている。【００７３】
具体的には、本実施の形態においては、絶えず人形の足が下に向いている。【００７４】
（表示切替え部）
つぎに、本発明の役物遮蔽部６４を構成する表示切替え部６６について説明する。先に説明したとおり、前記表示切替え部６６は、円筒形の前記役物遮蔽部６４における、円筒の側面（回転面）に相当する部分であり、その一部分が不透明に、残りの部分が透明となっている。詳しくは円周方向における半分の領域が不透明な領域であり、残る半分の領域が透明な領域である。【００７５】
ここで透明とは、この表示切替え部６６について、その外側から内部に設けられた役物６２を見ることができることを意味し、他方不透明とは、表示切替え部６６の外側から前記役物６２を見ることができないことを意味する。【００７６】
（反射部（非透過部））
まず、前記表示切替え部６６の中の反射部６７について、より詳しく説明する。この反射部６７は、表示ユニット１の観者が前記役物６２を直接みることができないように、言い換えると、表示切替え部６６において、役物６２を隠すための部分である。【００７７】
本実施の形態においては、前記反射部６７は、前記透過部６８とは異なり不透明な部材によって構成されている。【００７８】
具体的には、表面で光が反射する特性を有するプラスチックシート（フィルム）、例えば乳白色のＰＥＴ（Ｐｏｌｙｅｔｈｙｌｅｎｅ  Ｔｅｒｅｐｈｔｈａｌａｔｅ：テレフタル酸ポリエチレン）シートなどが用いられる。【００７９】
なお、反射部６７を構成する材料としては、特には限定されず、例えば、他の有機材料や金属材料を用いてもよい。【００８０】
金属材料を用いることによって、役物遮蔽部６４の強度や耐久性、耐熱安定性などを向上させることができる。【００８１】
また、有機材料と金属材料との複合材料、例えば、有機材料からなるシートの表面に金属材料をコーティングした材料を用いても良い。【００８２】
また、反射部６７の表面における反射は、材料自体が乳白色を呈するなどの内部散乱性によるもの、表面の設けられた凹凸での散乱反射による外部（表面）散乱性によるもの、鏡面反射によるものなど、種々の反射作用を用いることができる。【００８３】
また、前記図１の（ａ）などに示すように、前記反射部６７は、円筒の側面に相当する表示切替え部６６の一部分であるので、円筒の内側面に相当する内側反射部６７ａと、円筒の外側面に相当する外側反射部６７ｂとを有する。【００８４】
そこで、前記表面における反射は、内側反射部６７ａ及び外側反射部６７ｂの両方の面で得られることが望ましく、特には、外側反射部６７ｂで十分な反射が得られることが好ましい。内側反射部６７ａ及び外側反射部６７ｂの作用については、後に説明する。【００８５】
（透過部）
つぎに、前記表示切替え部６６の中の透過部６８について説明する。この透過部６８は、液晶表示ユニット１の観者が前記役物６２を直接見ることができるように、言い換えると、表示切替え部６６において、役物６２を可視状態にするための部分である。【００８６】
そこで、本実施の形態においては、光を透過させる特性を有するプラスチックシート（フィルム）、例えば透明ＰＥＴシートなどが用いられる。【００８７】
なお、透過部６８を構成する部材としては、特には限定されず、例えば、他の有機材料やガラスなどの無機材料を用いても良い。【００８８】
また、この透過部６８は、必ずしも上述したように部材が配置されることによって構成されている必要はなく、部材を配置することなく、単に開口されているのみでも良い。【００８９】
（一体の構成）
なお、例えば反射部６７を乳白色ＰＥＴシートで構成し、透過部６８を透明ＰＥＴシートで構成する場合には、前記各シートを連結した上で、そのシートを丸めて円筒を作り、反射部６７と透過部６８とが備えられた表示切替え部６６、ひいては役物遮蔽部６４を構成してもよい。【００９０】
この方法では、容易に前記表示切替え部６６を形成することができる。【００９１】
（液晶表示部の全体構成）
つぎに、本実施の形態における液晶表示部１０について前記図１の（ａ）及び（ｂ）、並びに、図５に基づいて説明する。図５は本実施の形態の液晶表示ユニット１における液晶表示部１０の概略構成を示す断面図である。【００９２】
本実施の形態の液晶表示部１０には、第１液晶表示素子２０と第２液晶表示素子３０との２つの液晶表示素子が備えられている。そして、前記第１液晶表示素子２０と第２液晶表示素子３０とは、その間に、第１光源部４０を挟んで、重ね合わせられている。そして、前記第１液晶表示素子２０が液晶表示ユニット１の観者（図５の観者Ｖ参照）側、前記第２液晶表示素子３０が役物部６０側に位置するように、各々が配置されている。【００９３】
そして、前記第２液晶表示素子３０と役物部６０との間には、第２光源部５０が設けられている。【００９４】
以下、各々について説明する。【００９５】
（第１液晶表示素子）
まず、第１液晶表示素子２０は、通常の液晶表示素子、例えばＴＦＴ（ｔｈｉｎ  ｆｉｌｍ  ｔｒａｎｓｉｓｔｏｒ：薄膜トランジスタ）が各画素に形成されたアクティブマトリクス液晶表示素子などによって構成されている。【００９６】
その層構成の概要は、２枚の基板（第１基板２１と第２基板２２）の間に液晶層２３が設けられ、前記２枚の基板のうち前記液晶層２３に面しない面（外側面）には、各々第１偏光板２４と第２偏光板２５が設けられている。【００９７】
この第１液晶表示素子２０には、液晶表示ユニット１の観者Ｖ、例えば前記液晶表示ユニット１が遊技装置に用いられる場合にはその遊技者に見せるための遊技内容等に関する画像が表示される。【００９８】
（第１光源部）
そして、前記第１光源部４０は、主に前記第１液晶表示素子２０のバックライトとして機能するものである。【００９９】
その主要な構成部材は、前記第１液晶表示素子２０とほぼ同じ大きさを有する導光板４４と、２本の第１光源ランプ４２と、反射シート４６とである。そして、前記液晶表示装置１と前記導光板４４の両端に前記２本の第１光源ランプ４２が各々配置され（サイドライト方式）、前記導光板４４と、前記第２液晶表示素子３０との間に、反射シート４６が配置されている。【０１００】
そして、この導光板４４および反射シート４６は、前記第１液晶表示素子２０の全表示面に対応して設けられているのではなく、前記表示面を縦方向に３分割した際の両端に対応する領域に設けられている。すなわち、図５において、前記第１液晶表示素子２０の表示面を３つの領域に分割した際（図５における点線参照）、その両端の領域である第１表示領域Ｒ１及び第２表示領域Ｒ２には前記導光板４４および反射シート４６が設けられているのに対して、中央の領域である第３表示領域Ｒ３には前記導光板４４および反射シート４６は設けられていない（図５参照）。【０１０１】
なお、前記第１液晶表示素子２０と第１光源部４０とを、例えば１つのの枠体の中に形成するなどして、一体として形成し、１つのモジュール、例えば第１液晶モジュール１８としてもよい（後述の図６等参照）。【０１０２】
（第２液晶表示素子）
つぎに、前記第２液晶表示素子３０について説明する。【０１０３】
本実施の形態における第２液晶表示素子３０は、いわゆる高分子分散型の液晶表示素子によって構成されている。【０１０４】
具体的には、２枚の基板（第１基板３１と第２基板３２）の間に液晶層３３が設けられ、その液晶層３３が高分子分散型の液晶層となっている。そして、この液晶層３３には高分子による３次元のネットワークが形成されており、そのネットワークの間隙に液晶分子が導入されている。【０１０５】
また、この第２液晶表示素子３０には、偏光板は設けられていない。【０１０６】
１）光散乱状態
そして、先に説明したとおり、この高分子分散型の第２液晶表示素子３０は、液晶層３３に電圧が印加されていない状態では、前記液晶分子がランダムに配向するため、前記液晶層３３で光は散乱する。【０１０７】
したがって、電圧が印加されていない状態では、光は液晶層３３を透過しにくくなり、反射する光の割合が増加する。また、液晶層３３を透過した光も、液晶層３３の中で散乱するため、白色散乱光となる。【０１０８】
そのため、液晶層３３に電圧が印加されていない状態では、前記液晶表示素子３０の背後にある物（例えば役物６２）は、見えないか、又は、見えても白くかつ輪郭がぼやけた状態で見える。【０１０９】
２）透明状態
他方、液晶層３３に電圧が印加された状態では、前記液晶分子は、電圧によって生じた電界にそって１つの方向に揃って配向する。すなわち、ランダムな配向状態から、均一配向に変化する。【０１１０】
したがって、光は前記液晶層３３を散乱することなく透過する。【０１１１】
そのため、前記第２液晶表示素子３０は透明になり、背後にある物（例えば役物６２）は、はっきりと見えるようになる。【０１１２】
（第２光源部）
つぎに本実施の形態における第２光源部について説明する。【０１１３】
この第２光源部は、図５に示すように、前記第２液晶表示素子３０と前記役物部６０との間に設けられるものであり、前記第２液晶表示素子３０の両端に設けられた一対の第２光源ランプ５２をその主要構成要素とする。【０１１４】
（表示の仕組み）
つぎに、図１の（ａ）及び（ｂ）、図２、図３の（ａ）及び（ｂ）、図４に基づいて、本実施の形態の表示ユニット１における表示の仕組みについて説明する。【０１１５】
（役物非表示時）
前記の図１の（ａ）及び（ｂ）は、液晶表示ユニット１の概略構成を示す斜視図であるが、いずれも液晶表示ユニット１の観者からは役物６２が見えない役物非表示時の様子を示している。また、図２は、本実施の形態における液晶表示ユニット１の観者Ｖが、役物非表示時に液晶表示部１０を見た際に見える内容を示している。【０１１６】
１）第１液晶表示素子２０
この役物６２を前記観者Ｖから遮蔽する役物非表示時においては、前記第１液晶表示素子は、前記観者Ｖに示したい内容をその前面で表示する。図２に示す例では、前記第１液晶表示素子２０には、「７７７」が表示されている。【０１１７】
２）第１光源部４０
また、この役物非表示時、第１光源部４０の２本の第１光源ランプ４２は、点灯されており、前記導光板４４及び反射シート４６を介して前記第１液晶表示素子２０のバックライトとして機能している。【０１１８】
３）第２液晶表示素子３０
そして、この役物非表示時、高分子分散型の第２液晶表示素子３０は、その液晶層３３には電圧が印加されておらず、第２液晶表示素子３０は、前記光散乱状態にある。【０１１９】
４）第２光源部５０
また、この役物非表示時、第２光源部５０の第２光源ランプ５２は、点灯されている。【０１２０】
ここで、第２光源部５０の第２光源ランプ５２は、役物非表示時に必ずしも点灯させる必要はない。役物６２を照明する必要がないからである。【０１２１】
しかし、前記第２光源ランプ５２は、前記第１液晶表示素子２０のバックライトとしても機能する。特には、前記反射シート４６が設けられていない領域である第３表示領域Ｒ３におけるバックライト（第３表示領域Ｒ３を照明する光）として有効である。したがって、役物非表示時においても、前記第２光源ランプ５２を点灯することが望ましい。詳細については、後述する。【０１２２】
５）役物遮蔽部６４
そして、この役物非表示時、役物遮蔽部６４は、表示切替え部６６の反射部６７が、前記液晶表示部１０に面するように回動している。【０１２３】
役物６２を遮蔽するためである。【０１２４】
（観者Ｖからの見え方）
液晶表示ユニット１の各部が、以上の状況になることによって、観者Ｖには、図２に示す「７７７」の表示が見え、役物６２は見えない。以下説明する。【０１２５】
役物非表示時、第２液晶表示素子３０は、上述のとおり光散乱状態であり、観者Ｖからは第２液晶表示素子３０の背後は見えにくくなっている。【０１２６】
そしてさらに、本実施の形態の液晶表示ユニット１では、その表示切替え部６６の反射部６７が液晶表示部１０に向くように、役物遮蔽部６４が、回動している。【０１２７】
そのため、観者Ｖに対して役物６２は、前記第２液晶表示のみによって遮蔽される場合に比べて、より完全隠される。【０１２８】
その結果、観者Ｖからは、役物６２は見えず、第１液晶表示素子に表示された表示内容、すなわち「７７７」のみが見える。【０１２９】
（役物表示時）
つぎに、役物表示時について説明する。【０１３０】
前記の図３の（ａ）及び（ｂ）は、前記図１の（ａ）及び（ｂ）と同様に、液晶表示ユニット１の概略構成を示す斜視図であるが、いずれも液晶表示ユニット１の観者から役物６２が見える役物表示時の様子を示している。また、図４は、本実施の形態における液晶表示ユニット１の観者Ｖが、役物表示時に液晶表示部１０を見た際に見える内容を示している。【０１３１】
１）第１液晶表示素子２０
この役物６２を前記観者Ｖから見えるようにする役物表示時においては、前記第１液晶表示素子は、前記観者Ｖに示したい内容をその前面で表示する。図２に示す例では、前記第１液晶表示素子２０の全面ではなく、前記反射シート４６が形成されている部分に対応する第１表示領域Ｒ１と第２表示領域Ｒ２とに、各々「７」が表示されている。そして、前記反射シート４６が形成されていない部分に対応する第３表示領域Ｒ３には、何も表示されていない。【０１３２】
２）第１光源部４０
また、この役物表示時、第１光源部４０の２本の第１光源ランプ４２は、前記役物非表示時と同様に点灯されており、前記導光板４４及び反射シート４６を介して前記第１液晶表示素子２０のバックライトとして機能している。【０１３３】
３）第２液晶表示素子３０
そして、この役物表示時、高分子分散型の第２液晶表示素子３０は、その液晶層３３には電圧が印加されており、第２液晶表示素子３０は、前記光透過状態にある。【０１３４】
ここで、この第２液晶表示素子３０の液晶層３３への電圧の印加は、前記第２液晶表示素子３０の全面に対して行ってもよいが、例えば前記反射シート４６が形成されていない部分に対応する第３表示領域Ｒ３の液晶層３３に対してのみ印加しても良い。【０１３５】
このように、前記役物６２を表示させるために必要な領域のみを透明にすることによって、役物表示時において、役物６２をより明るく鮮明に見せることができる。詳しくは、後に説明する。【０１３６】
４）第２光源部５０
また、この役物表示時、第２光源部５０の第２光源ランプ５２は、点灯されている。ここで、第２光源部５０の第２光源ランプ５２は、前記役物非表示時とは異なり、役物６２を照明するために点灯される。【０１３７】
５）役物遮蔽部６４
そして、この役物表示時、役物遮蔽部６４は、表示切替え部６６の透過部６８が、前記液晶表示部１０に面するように回動している。【０１３８】
役物６２の遮蔽を解除するためである。【０１３９】
（観者Ｖからの見え方）
液晶表示ユニット１の各部が、以上の状況になることによって、観者Ｖには、図４に示す「７（役物）７」の表示が見える。以下説明する。【０１４０】
役物表示時、第２液晶表示素子３０は、上述のとおり少なくとも前記反射シート４６が形成されておらず、役物６２が配置されている第３表示領域Ｒ３において光透過状態である。したがって、観者Ｖからは、前記第３表示領域Ｒ３において、前記第２液晶表示素子３０の背後に設置されている役物６２が見える状態となっている。【０１４１】
そしてさらに、本実施の形態の液晶表示ユニット１では、その表示切替え部６６の透過部６８が液晶表示部１０に向くように、役物遮蔽部６４が、回動している。【０１４２】
そのため、観者Ｖに対して役物６２は、遮られるものではなく、見ることができる状態となっている。【０１４３】
その結果、観者Ｖからは、第１液晶表示素子２０に表示された表示内容、すなわち「７」及び「７」と共に、その間に役物６２を見ることができる。【０１４４】
（第２光源部）
つぎに、液晶表示ユニット１を横方向から見た図に基づいて、役物６２の表示・非表示の仕組み、及び、第２光源部５０に備えられた第２光源ランプ５２の作用について説明する。図６及び図８は、いずれも、本実施の形態の液晶表示ユニット１を横方向から見た際の概略構成を示す図である。そして、図６は役物非表示時の様子を示し、図８は役物表示時の様子を示す。【０１４５】
また、図７及び図９は、各々、図６及び図８に示す液晶表示ユニット１の液晶表示部１０を観者Ｖが見た際に見える表示内容を示す図である。【０１４６】
（役物非表示時）
まず、役物非表示時について説明する。【０１４７】
図６に示すように、本実施の形態の表示ユニット１では、観者Ｖと役物（表示物体）６２との間に、物理的な（液晶表示装置でよるものではなく機械的な）遮蔽手段としての反射部６７が介在している。したがって、観者Ｖに対する役物６２の遮蔽が十分に行われる。【０１４８】
その結果、観者Ｖは、図７に示すように、役物６２を見ることなく、第１液晶モジュール１８の第１液晶表示素子２０に表示された内容（「７７７」）のみをみることができる。【０１４９】
また役物非表示時においても、第２光源部５０の第２光源ランプ５２を点灯させることによって、観者Ｖは、図７に示した第１液晶表示素子２０に表示された内容をより明るく鮮明に見ることができる。【０１５０】
すなわち、図６の矢印ＬＡに示すように、役物非表示時に第２光源ランプ５２から出射した光は、前記表示切替え部６６の反射部６７によって遮られる。具体的には、前記第２光源ランプ５２から出射した光は、前記反射部６７の外側反射部６７ｂで反射し、第１液晶モジュール１８の第１液晶表示素子２０を透過して観者Ｖの目に入る。【０１５１】
すなわち、前記第２光源ランプ５２から出射した光は、第１液晶表示素子２０のバックライトとして働くので、観者Ｖは、第１液晶表示素子２０に表示された内容をより明るく鮮明に見ることができる。【０１５２】
（役物表示時）
つぎに役物表示時について説明する。【０１５３】
図８に示すように、本実施の形態の表示ユニット１では、表示切替え部６６が回動することによって、観者Ｖと役物（表示物体）６２との間に介在していた反射部６７がなくなり、観者Ｖと役物６２との間には、透過部６８配置されている。【０１５４】
そして、この透過部６８は、先に説明したとおり光透過性を有するため、観者Ｖは、遮蔽物なく役物６２を直接見ることができる。【０１５５】
その結果、観者Ｖは、図９に示すように、第１液晶モジュール１８の第１液晶表示素子２０に表示された内容「７  ７」と共に、その中央部分に役物６２を見ることができる。【０１５６】
また役物表示時において、第２光源部５０の第２光源ランプ５２は点灯されている。そして、観者Ｖは、前記第２光源ランプ５２が点灯されていることによって、図９に示した表示の内容、中でも、役物６２をより明るく鮮明に見ることができる。【０１５７】
すなわち、図８の矢印ＬＢに示すように、役物表示時に第２光源ランプ５２から出射した光は、役物非表示時と異なり、前記役物６２を照射する。【０１５８】
また、直接役物６２に照射されなかった光も、反射部６７の内側反射部６７ａの表面で反射した後、前記役物６２の照明に資する場合もある。【０１５９】
さらに、前記反射した光は、第１液晶表示素子２０を透過して、観者Ｖの目に入る場合もある。すなわち、第１液晶表示素子２０のバックライトとして作用する場合がある。【０１６０】
以上より、前記第２光源ランプ５２から出射した光は、役物６２を直接・間接に照らすため、観者Ｖは、役物６２をより明るく鮮明に見ることができる。また、役物６２の両側に表示される第１液晶表示素子２０に表示される内容も、明るく鮮明に見ることができる。【０１６１】
以上のように、第１液晶表示素子２０に表示される内容、及び、役物６２をより明るく鮮明に見えるようにするためには、前記反射部６７は、その内側反射部６７ａ及び外側反射部６７ｂともに、高い反射性能（反射率）を有することが望まれる。また、その反射は、写り込みを防止するなどの観点から、鏡面反射よりも拡散反射の方が好ましい。【０１６２】
（反射シートの形状）
なお、前記説明においては、第１光源部４０に設けられる反射シート４６は、例えば図１の（ａ）に示したように、液晶表示部１０の表示面（アクティブエリア）の両サイドに設けられていた。【０１６３】
この反射シート４６の形状は、前記の形状に限定されず、例えば、本実施の形態の液晶表示ユニット１の他の構成を示す図である図１０の（ａ）及び（ｂ）に示すように、表示面に対して額縁状に形成してもよい。【０１６４】
前記反射シート４６を前記の形状に形成した場合、液晶表示ユニット１を観者Ｖが見た場合、図１１に示すように見える。【０１６５】
すなわち表示面のうち、前記反射シート４６が形成された領域に相当する額縁部分の内側に、役物６２が見える。【０１６６】
（光源ランプの光）
つぎに、第１光源部４０及び第２光源部５０の光源ランプ（第１光源ランプ４２及び第２光源ランプ５２）から出射した光について、液晶表示ユニット１の断面を示す図に基づいて、より詳しく説明する。【０１６７】
図１２及び図１３は、いずれも、前記図１０の（ａ）及び（ｂ）に示した液晶表示ユニット１の表示面の中心位置における縦断面を概略的に表す図である。そして、図１２は、役物非表示時の液晶表示ユニット１を示し、図１３は、役物表示時の液晶表示ユニット１を示す。【０１６８】
（役物非表示時）
１）第１光源ランプ４２（第１光源部４０）
役物非表示時、第１光源部４０の第１光源ランプ４２から出射された光は、図１２の矢印Ｌ１及び矢印Ｌ２に示すように、主に、前記第１光源ランプ４２に隣接する導光板４４には直接入射せず、又は、導光板４４に入射しても表示面の中心領域まで進行せずに前記導光板４４の背面に設けられた反射シート４６に反射する光（矢印Ｌ１）と、前記導光板４４の内部を伝わって表示面の中心方向に進行する光（矢印Ｌ２）とに分かれる。【０１６９】
詳しくは、前記矢印Ｌ１で示される光は、反射シート４６の表面で反射し、第１液晶表示素子２０を透過して、観者Ｖの方向に出射される。ここで、本実施の形態の液晶表示ユニット１では、前記反射シート４６は、表示面の全面に設けられているのではないため、主に、前記反射シート４６が設けられている部分（両端部分）に相当する第１表示領域Ｒ１及び第２表示領域Ｒ２とから、前記矢印Ｌ１で示される光が出射される。【０１７０】
他方、前記矢印Ｌ２で示される光は、前記導光板４４を伝わって表示面の中心方向に進行し、前記反射シート４６が設けられていない部分（中心部分）に相当する第３表示領域Ｒ３において、前記反射シート４６が設けられていない部分を通じて、その背後に設置されている第２液晶表示素子３０に到達する。【０１７１】
ここで、前記第２液晶表示素子３０は、役物非表示時には、先に説明したとおり、その液晶層３３に電圧が印加されておらず、光散乱状態にある。したがって、前記第２液晶表示素子３０に到達した光は、前記第２液晶表示素子３０の表面で反射して観者Ｖの方向に出射される、又は、第２液晶表示素子３０の内部で散乱して第２液晶表示素子３０自体を明るくする。【０１７２】
よって、矢印Ｌ２で示される光は、表示面における第３表示領域Ｒ３のバックライトとして作用する。【０１７３】
以上より、表示面における両端の領域である第１表示領域Ｒ１と第２表示領域Ｒ２とにおいては、主に前記矢印Ｌ１で示される光がバックライトとして作用し、他方、表示面における中心の領域である第３表示領域Ｒ３においては、主に前記矢印Ｌ２で示される光がバックライトとして作用する。【０１７４】
その結果、表示面の全面において、明るい表示を実現することができる。【０１７５】
２）第２光源ランプ５２（第２光源部５０）
つぎに、役物非表示時における、第２光源部５０の第２光源ランプ５２から出射された光について説明する。【０１７６】
図１２の矢印Ｌ３が示すように、前記第２光源ランプ５２から出射された光は、表示切替え部６６の反射部６７における外側反射部６７ｂの表面で反射する。そして、前記外側反射部６７ｂで反射した光は、第２液晶表示素子３０に達する。【０１７７】
ここで、前記第２液晶表示素子３０は、先に説明したとおり、その液晶層３３には電圧が印加されておらず、光散乱状態にある。したがって、前記第２液晶表示素子３０に到達した光は、前記第２液晶表示素子３０の表面で反射し、前記外側反射部６７ｂと前記第２液晶表示素子３０との間で反射を繰り返すか、又は、第２液晶表示素子３０の内部で散乱して第２液晶表示素子３０自体を明るくする。【０１７８】
そして、この明るくなった第２液晶表示素子３０は、先に説明したとおり、第１液晶表示素子２０のバックライトとして作用する。【０１７９】
ここで、本実施の形態においては、前記役物部６０の役物遮蔽部６４は、円筒形に形成されている。したがって、図１２に示す役物非表示において、表示切替え部６６の反射部６７は、前記第３表示領域Ｒ３において、液晶表示部１０と近接する。その結果、第２光源ランプ５２から出射された光が、他の領域に比べ、第３表示領域Ｒ３に出射されやすくなる。【０１８０】
そのため、前記矢印Ｌ１で示す光が出射されにくいために前記第１表示領域Ｒ１及び第２表示領域Ｒ２よりも相対的に暗くなりがちな第３表示領域Ｒ３の明るさをより向上させやすくなる。【０１８１】
（役物表示時）
つぎに、役物表示時における光について、図１３に基づいて説明する。【０１８２】
１）第１光源ランプ４２（第１光源部４０）
役物表示時、第１光源部４０の第１光源ランプ４２から出射された光は、図１３の矢印Ｌ１及び矢印Ｌ４に示すように、先の役物非表示時と同様に、主に、前記第１光源ランプ４２に隣接する導光板４４には直接入射せず、又は、導光板４４に入射しても表示面の中心領域まで進行せずに、前記導光板４４の背面に設けられた反射シート４６に反射する光（矢印Ｌ１）と、前記導光板４４の内部を伝わって表示面の中心方向に進行する光（矢印Ｌ４）とに分かれる。【０１８３】
ここで、前記矢印Ｌ１で示される光は、先の役物非表示時と同様に作用する。すなわち、矢印Ｌ１で示される光は、まず反射シート４６の表面で反射し、第１液晶表示素子２０を透過して、観者Ｖの方向に出射される。詳しくは、主に、前記反射シート４６が設けられている部分（両端部分）に相当する第１表示領域Ｒ１及び第２表示領域Ｒ２とから、前記矢印Ｌ１で示される光が出射される。【０１８４】
他方、前記矢印Ｌ４で示される光は、役物非表示時の矢印Ｌ２で示される光と同様に、前記導光板４４を伝わって表示面の中心方向に進行する。そして、前記反射シート４６が設けられていない部分（中心部分）に相当する第３表示領域Ｒ３において、前記反射シート４６が設けられていない部分を通じて、その背後に設置されている第２液晶表示素子３０に到達する。【０１８５】
ここで、前記第２液晶表示素子３０は、役物表示時には、先に説明したとおり、その液晶層３３に電圧が印加されており、光透過状態にある。したがって、前記第２液晶表示素子３０に到達した光は、前記第２液晶表示素子３０を透過して役物部６０に達する。詳しくは、矢印Ｌ４で示される光は、前記第２液晶表示素子３０を透過した後、役物６２に達し、役物６２を照らす。【０１８６】
したがって、観者Ｖは、役物６２の存在を認識することができる。【０１８７】
なお、前記第２液晶表示素子３０を透過した後、役物６２に達しなかった第１光源ランプ４２からの光は、反射部６７の内側反射部６７ａの表面で反射する。そして、本実施の形態の反射部６７は、その断面形状が円弧（半円）形なので、その内面である前記内側反射部６７ａでの反射によって、光は、観者Ｖの方向に出射さ入れ易くなる。そして、この光は、第１液晶表示素子２０に対するバックライトとして作用し、前記矢印Ｌ４で示される光が余り届かない領域等において、表示の明るさの向上や、明るさの均一性の向上に資する。【０１８８】
２）第２光源ランプ５２（第２光源部５０）
つぎに、役物表示時における、第２光源部５０の第２光源ランプ５２から出射された光について説明する。【０１８９】
図１３の矢印Ｌ５が示すように、前記第２光源ランプ５２から出射された光は、表示切替え部６６の透過部６８を透過して役物６２に達し、役物６２を照らす。【０１９０】
したがって、観者Ｖは、前記第１光源部４０の第１光源ランプ４２のみが備えられている場合に比べ、より明るく鮮明に役物６２の存在を認識することができる。【０１９１】
なお、第２光源ランプ５２から出射された光のうち、役物６２に達しなかった光は、反射部６７の内側反射部６７ａの表面で反射する。そして、本実施の形態の反射部６７は、その断面形状が円弧（半円）形なので、その内面である前記内側反射部６７ａでの反射によって、光は、観者Ｖの方向に出射さ入れ易くなる。【０１９２】
この光は、先の第１光源ランプ４２からの光のうち内側反射部６７ａで反射した光と同様に、第１液晶表示素子２０に対するバックライトとして作用し、表示の明るさの向上や、明るさの均一性の向上に資する。【０１９３】
（全体構成）
つぎに、本実施の形態の液晶表示ユニット１の構成について、ブロック図に基づいて説明する。図１４は、本実施の形態の液晶表示ユニット１の概略構成を示すブロック図である。【０１９４】
図１４に示すように、本発明の液晶表示ユニット１には、前記の液晶表示部１０及び役物部６０と、前記液晶表示部１０及び役物部６０を制御する主制御部８０とが備えられている。そして、この主制御部８０は、入力された表示信号に応じて、前記液晶表示部１０及び役物部６０を制御する。例えば、前記表示信号に応じて、役物非表示時か役物表示時かを判断し、液晶表示部１０及び役物部６０を制御する。【０１９５】
具体的には、役物部６０に備えられた遮蔽制御部７４を介して、役物遮蔽部６４の表示切替え部６６を回動させ、表示切替え部６６の反射部６７・透過部６８のいずれが、液晶表示部１０に面するかなどが制御される。【０１９６】
〔実施の形態２〕
本発明の他の実施の形態について図１５の（ａ）及び（ｂ）、図１６に基づいて説明すれば、以下のとおりである。【０１９７】
ここで、図１５の（ａ）及び（ｂ）は、いずれも本発明の他の実施形態の液晶表示ユニットの、役物表示時における概略構成を示す図である。そして、図１５の（ａ）は液晶表示ユニットを正面方向から見た斜視図であり、図１５の（ｂ）は液晶表示ユニットを背面方向から見た斜視図である。【０１９８】
また、図１６は、本発明の他の実施形態における液晶表示部の、役物表示時の表示内容を示す図である。【０１９９】
なお、本実施の形態において説明すること以外の構成は、前記実施の形態１と同じである。また、説明の便宜上、前記の実施の形態１の図面に示した部材と同じ機能を有する部材については、同じ符号を付し、その説明を省略する。【０２００】
本実施の形態の液晶表示ユニット１は、前記実施の形態１の液晶表示ユニット１と比較して、前記第１光源部４０に反射シート４６が設けられていない点が相違する。【０２０１】
すなわち、前記実施の形態１における第１光源部４０には、前記第１表示領域Ｒ１及び第２表示領域Ｒ２に対応した部分に反射シート４６が設けられていた。これに対して、本実施の形態の第１光源部４０には、反射シート４６が設けられていない。【０２０２】
これによって、役物表示時において、より大きな役物６２を、観者Ｖから見えるようにすることができる。【０２０３】
すなわち、液晶表示部１０のほぼ全面にわたって、役物部６０を直接見ることができるようになるので、役物部６０に設置する役物６２の大きさを、前記液晶表示部１０の大きさとほぼ同等の大きさまで、拡大することができる。【０２０４】
なお、本実施の形態においては、役物非表示時、第１液晶表示素子２０は、前記役物遮蔽部６４の外側反射部６７ｂで反射する光（前記光源光や外光）をそのバックライトとして表示が行われる。【０２０５】
（遊技装置）
本実施の液晶表示ユニット１は種々の装置に用いることができるが、例えば、遊技装置、中でもパチンコ台（弾球遊技装置）に好適に用いられる。【０２０６】
前記図１７を基に説明すると、図１７に示す遊技装置９０の例としてのパチンコ台において、遊技盤９２の中の情報表示部９４として用いることができる。【０２０７】
このような構成においては、遊技装置９０の遊技者が液晶表示ユニット１の観者Ｖとなり、この遊技者は、情報表示部９４において第１液晶表示素子に表示された内容とともに、その背後に設置された役物６２を見ることができる。【０２０８】
（他の構成）
本発明は前記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。【０２０９】
（導光板）
例えば、先の説明においては、第１光源部４０における導光板４４は、全体で厚みがほとんど一定である材料を用いているが、導光板４４の構成としては、このような構成に限定されない。【０２１０】
例えば、くさび形や、くさび形を複数個組み合わせた様な形状とすることができる。【０２１１】
ただし、先に説明した厚みがほぼ均一な導光板４４を用いた場合には、表示面内での表示の均一性が増加するとの効果が得られる。【０２１２】
先に説明した本発明の実施形態の液晶表示ユニットの概略構成を示す図で、役物表示時の液晶表示ユニットの断面図である図１３に基づいて説明する。【０２１３】
図１３に示すように、例えば、第３表示領域Ｒ３では、役物表示時において、役物６２からの光は、前記導光板４４を透過して観者Ｖの目に入る。ここで、前記導光板４４の厚みが均一である場合には、前記役物６２は、歪むことなく見える。【０２１４】
これに対して、導光板４４の厚みが面内で均一ではない場合、例えばその断面形状がくさび形で、厚みが連続的に変化するような場合には、その厚みの差によって透過光に不均一が生じるので、観者Ｖにとって、役物６２は歪んで見える。【０２１５】
このため、断面形状がくさび形の導光板４４を用いたうえで、前記役物６２の歪みを抑制する方法としては、導光板４４の前記第３表示領域Ｒ３に対応する領域をくりぬく方法が考えられる。この導光板４４の前記第３表示領域Ｒ３に対応する領域をくりぬく方法は厚みが均一な導光板にも適用可能である。【０２１６】
なお、厚みが均一な導光板４４を用いる場合には、光源ランプを２本以上、少なくとも対向した端辺近傍に設けることが好ましい。【０２１７】
これによって、導光板４４の厚みが均一であっても、表示面内におおけるバックライトの明るさ、ひいては表示の明るさの均一性を向上させることが容易になる。【０２１８】
また、第1光源部の導光板４４と第１液晶表示素子との間に光学シートを追加することで、第１液晶表示素子の明るさを向上させる効果を得ることが出来る。この場合光学シートの表面によっては、その光の屈折の差によって透過光に不均一が生じるので、観者Ｖにとって、役物６２は歪んで見える。【０２１９】
このため、光学シートを用いたうえで、前記役物６２の歪みを抑制する方法としては、光学シートの前記第３表示領域Ｒ３に対応する領域をくりぬく方法が考えられる。【０２２０】
（役物遮蔽部）
また、先の説明においては、役物遮蔽部６４について、回動可能な円筒形状のもの、言い換えると回転リール型ドラムを例にして説明したが、本発明の役物遮蔽部６４は、この構成に限定されるものではない。【０２２１】
すなわち、前記役物表示時・役物非表示時の切替えに応じて、光の透過・反射が制御できるものであればよく、他の例としては、横開き又は縦開きのスライド式のシャッター装置や巻き上げ式のシャッター装置、観音開き構造などがあげられる。【０２２２】
（第２液晶表示素子）
また、先の説明においては、第２液晶表示素子、言い換えると、役物６２に対するシャッター液晶素子について、高分子分散型の液晶表示素子を例にして説明したが、本発明の第２液晶表示素子は、この構成に限定されるものではない。【０２２３】
すなわち、前記役物表示時・役物非表示時の切替えに応じて、光の透過・反射が制御できるものであればよく、例えば、偏光板を用いた通常のＴＮ（Ｔｗｉｓｔｅｄ  Ｎｅｍａｔｉｃ：ねじれネマチック）型液晶表示素子としてもよい。このＴＮ型液晶表示素子を第２液晶表示素子として用いた場合、役物非表示時における役物６２はより良く遮蔽される。【０２２４】
これに対して、前記高分子型の液晶表示素子では、先に述べたとおり、光散乱状態において、光を散乱反射させたり、それ自体が明るくなったりすることができるので、第１液晶表示素子の表示内容をより明るく見せることができる。
【産業上の利用可能性】
【０２２５】
本発明の液晶表示ユニットは、映像の表示と共に役物の表示ができるので、遊技装置などのアミューズメント設備に好適に利用可能である。
【図１】
2009013916.tif 000003
【図２】
2009013916.tif 000004
【図３】
2009013916.tif 000005
【図４】
2009013916.tif 000006
【図５】
2009013916.tif 000007
【図６】
2009013916.tif 000008
【図７】
2009013916.tif 000009
【図８】
2009013916.tif 000010
【図９】
2009013916.tif 000011
【図１０】
2009013916.tif 000012
【図１１】
2009013916.tif 000013
【図１２】
2009013916.tif 000014
【図１３】
2009013916.tif 000015
【図１４】
2009013916.tif 000016
【図１５】
2009013916.tif 000017
【図１６】
2009013916.tif 000018
【図１７】
2009013916.tif 000019
【図１８】
2009013916.tif 000020
【図１９】
2009013916.tif 000021
【図２０】
2009013916.tif 000022
【図２１】
2009013916.tif 000023
【図２２】
2009013916.tif 000024
【国際調査報告】
2009013916.tif 000025
2009013916.tif 000026
2009013916.tif 000027
2009013916.tif 000028
2009013916.tif 000029
2009013916.tif 000030